(57)【特許請求の範囲】
【請求項１】
宛先端末の電子メールアドレスを入力するためのアドレス入力手段と、電子メールアドレスとＩＰアドレスとを対応づけて記憶する記憶手段と、前記アドレス入力手段から入力された電子メールアドレスに基づいて前記記憶手段よりＩＰアドレスを取得するＩＰアドレス取得手段と、前記アドレス入力手段から入力された電子メールアドレスをメールヘッダの宛先フィールドに設定する電子メール生成手段と、前記ＩＰアドレス取得手段が取得したＩＰアドレスをＩＰデータグラムのヘッダフィールドに設定して、前記電子メール生成手段が生成した前記アドレス入力手段から入力された電子メールアドレスがメールヘッダの宛先フィールドに設定された電子メールをＳＭＴＰに従ってメールサーバを介さずに送信するＳＭＴＰ通信手段とを具備するデータ通信装置。
【請求項２】
宛先端末の電子メールアドレスを入力するためのアドレス入力手段と、このアドレス入力手段から入力された電子メールアドレスに基づいてＤＮＳサーバよりＩＰアドレスを取得するＩＰアドレス取得手段と、前記アドレス入力手段から入力された電子メールアドレスをメールヘッダの宛先フィールドに設定する電子メール生成手段と、前記ＩＰアドレス取得手段が取得したＩＰアドレスをＩＰデータグラムのヘッダフィールドに設定して、前記電子メール生成手段が生成した前記アドレス入力手段から入力された電子メールアドレスがメールヘッダの宛先フィールドに設定された電子メールをＳＭＴＰに従ってメールサーバを介さずに送信するＳＭＴＰ通信手段とを具備するデータ通信装置。
【請求項３】
請求項１または請求項２のいずれかに記載のデータ通信装置を備えたインターネットファクシミリ装置。
【発明の詳細な説明】
【０００１】
【発明の属する技術分野】
本発明は、電子メールプロトコルにより電子メールを送信するデータ通信装置及びインターネットファクシミリ装置に関する。
【０００２】
【従来の技術】
原稿のイメージデータを電子メール形式で電子メールプロトコルによりメール送信するインターネットファクシミリ装置が存在する。かかるインターネットファクシミリ装置は、予め特定のメールサーバ（送信メールサーバ）のＩＰアドレスが初期設定されており、宛先のメールアドレスが入力されて送信指示があると、送信メールサーバのＩＰアドレスを用いて当該送信メールサーバへ電子メールを転送する。送信メールサーバは、電子メールの宛先メールアドレスから受信側端末のメールボックスが配置されたメールサーバ（受信メールサーバ）のＩＰアドレスを取得し、この取得したＩＰアドレスを用いて電子メールを受信メールサーバに転送する。受信メールサーバは、宛先メールアドレスに基づいて受信側端末のメールボックスに電子メールを蓄積し、例えばＰＯＰ３にしたがって受信側端末へ受信メールを配信する。このようにして、インターネットファクシミリ装置から送信メールサーバ及び受信メールサーバを経由して宛先メールアドレスで指定された受信端末へ電子メールが送信される。
【０００３】
ところで、以上のようなメールサーバを経由したメール送信方式では発信元のインターネットファクシミリ装置と受信側端末との間でお互いの能力を直接ネゴシエーションできない。そこで、インターネットファクシミリ装置が最低限保持すべき能力（ミニマムセット）を定めておき（ＩＴＵ勧告Ｔ３７）、ミニマムセットに定められたデータ形式（フォーマットタイプ、用紙サイズ、解像度、符号化方式等）で電子メールのやり取りを行っていた。
【０００４】
【発明が解決しようとする課題】
しかしながら、たとえば送信側端末が勧告で定められているよりも高解像度のイメージデータを取得することができても、勧告で定められた解像度に下げる必要があり、また、受信側端末が勧告以上の能力を有する送信側端末と同等の能力を有していても、低解像度のイメージデータを受信しなければならなかった。そのため、送信側及び受信側端末の能力を十分に活用することができていないのが現状であった。
【０００５】
本発明は、以上のような実情に鑑みて為されたものであり、メールサーバが介在しないメール送信を、送信側と受信側のユーザに意識させること無く行えるデータ通信装置及びインターネットファクシミリ装置を提供することを目的とし、これにより送信側と受信側とで直接能力交換を行うことができ、双方の能力を最大限活用可能な構成をも可能とする。
【０００６】
【課題を解決するための手段】
本発明は、入力された電子メールアドレスに基づいて宛先端末のＩＰアドレスを取得し、宛先端末のＩＰアドレスを使用してメールサーバを介さずに前記宛先端末に対して直接電子メールを送信するものである。
【０００８】
【発明の実施の形態】
本発明の第１の態様は、宛先端末の電子メールアドレスを入力するためのアドレス入力手段と、電子メールアドレスとＩＰアドレスとを対応づけて記憶する記憶手段と、前記アドレス入力手段から入力された電子メールアドレスに基づいて前記記憶手段よりＩＰアドレスを取得するＩＰアドレス取得手段と、前記アドレス入力手段から入力された電子メールアドレスをメールヘッダの宛先フィールドに設定する電子メール生成手段と、前記ＩＰアドレス取得手段が取得したＩＰアドレスをＩＰデータグラムのヘッダフィールドに設定して、前記電子メール生成手段が生成した前記アドレス入力手段から入力された電子メールアドレスがメールヘッダの宛先フィールドに設定された電子メールをＳＭＴＰに従ってメールサーバを介さずに送信するＳＭＴＰ通信手段とを具備するデータ通信装置である。
【０００９】
このように構成されたデータ通信装置によれば、装置内の記憶手段より宛先端末のＩＰアドレスを取得して、そのＩＰアドレスを使用することによりメールサーバを介さずに前記宛先端末に対して直接電子メールを送信するので、メールサーバを介在させることなく、しかも送信側と受信側のユーザにメールサーバが介在していないことを意識させること無く電子メールを送信することができ、メールサーバを削減することができる。
【００１０】
本発明の第２の態様は、宛先端末の電子メールアドレスを入力するためのアドレス入力手段と、このアドレス入力手段から入力された電子メールアドレスに基づいてＤＮＳサーバよりＩＰアドレスを取得するＩＰアドレス取得手段と、前記アドレス入力手段から入力された電子メールアドレスをメールヘッダの宛先フィールドに設定する電子メール生成手段と、前記ＩＰアドレス取得手段が取得したＩＰアドレスをＩＰデータグラムのヘッダフィールドに設定して、前記電子メール生成手段が生成した前記アドレス入力手段から入力された電子メールアドレスがメールヘッダの宛先フィールドに設定された電子メールをＳＭＴＰに従ってメールサーバを介さずに送信するＳＭＴＰ通信手段とを具備するデータ通信装置である。
【００１１】
このように構成されたデータ通信装置によれば、外部のＤＮＳサーバより宛先端末のＩＰアドレスを取得して、そのＩＰアドレスを使用することによりメールサーバを介さずに前記宛先端末に対して直接電子メールを送信するので、メールサーバを介在させることなく、しかも送信側と受信側のユーザにメールサーバが介在していないことを意識させること無く電子メールを送信することができ、メールサーバを削減することができる。
【００１２】
本発明の第３の態様は、第１または第２の態様のデータ通信装置を備えたインターネットファクシミリ装置である。
【００２８】
以下、本発明にかかるインターネットファクシミリ装置の一実施の形態について図面を参照して具体的に説明する。
【００２９】
図１は、本実施の形態にかかるインターネットファクシミリ装置の概略的なハードウエア構成を示す図である。同図に示すインターネットファクシミリ装置は、ＣＰＵ１に対して内部バスを介してスキャナ部２、プリンタ部３、操作パネル部４、ＲＡＭ５、ＲＯＭ６、モデム部７、ＬＡＮインターフェース８及びその他の図示していない各種部品が接続されている。
【００３０】
ＣＰＵ１は、装置各部の動作を制御すると共に、ＲＯＭ６に格納されている各種プログラムを実行して後述する機能を提供する部分である。スキャナ部２は、原稿をスキャンして画情報を取り込む部分である。スキャナ部２から取り込まれた画像は、操作パネル部４からの指示に応じてプリンタ部３からプリントアウトされ又は外部へ送信される。プリンタ部３は、スキャナ部２から取り込まれた画像又は外部から受信した画像をプリントアウトする部分である。操作パネル部４は、宛先端末の電子メールアドレス又は電話番号等の宛先情報を入力したり、送信・コピー等の動作モード及びその他の各種指示を入力する部分である。ＲＡＭ５は、画情報を加工する際のワークエリア等として使用される部分である。ＲＯＭ６はインターネットファクシミリ装置として動作するために必要なプログラムが格納された部分である。モデム部７は、電話回線を介してファクシミリ通信（送信及び受信）を行う際又はインターネットサービスプロバイダにダイヤルアップで接続する際に当該装置と通信相手先とを接続するための手順を実行し且つ電話回線に合わせたモデム変調を行う部分である。ＬＡＮインターフェース８は、本インターネットファクシミリ装置をＬＡＮに接続するためのインターフェース機能を提供する部分である。
【００３１】
上記インターネットファクシミリ装置では、操作パネル部４から入力された宛先がメールアドレスであれば、スキャナ部２で取り込んだ画情報を電子メールに添付してＬＡＮインターフェース８からＳＭＴＰにしたがって送信する。また、、操作パネル部４から入力された宛先が電話番号であれば、Ｇ３ファクシミリ又はＧ４ファクシミリとして動作して発呼先に対してモデム部７経由で画情報をファクシミリ送信する。
【００３２】
一方、ＬＡＮインターフェース８から自分宛の電子メールを受信した場合は、当該受信メールを展開してメール本文と添付された画情報とをプリンタ部３からプリントアウトする。また、モデム部７が着呼を検出した場合には、Ｇ３ファクシミリ又はＧ４ファクシミリとして動作して送信元から画情報を受信してプリンタ部３からプリントアウトする。
【００３３】
本インターネットファクシミリ装置は、宛先端末のＩＰアドレスを取得してＳＭＴＰにて宛先端末と直接能力交換を行い、かつ、宛先端末に対して直接メール送信することができるように構成されている。なお、宛先端末がＳＭＴＰによる能力情報の交換能力を有することを前提とする。
【００３４】
図２は、インターネットファクシミリ装置において、かかる機能を実現するための機能ブロック図である。
【００３５】
ＩＰアドレス取得部２１は、操作パネル部４から入力された宛先端末のメールアドレスを解析して当該宛先端末のＩＰアドレスの取得を行う。ＩＰアドレスの取得方法として、内部テーブル２２にメールアドレス情報に対応して登録しておくやり方、及びＤＮＳサーバに問い合わせて取得するやり方の２つを例示している。
【００３６】
図３は、内部テーブル２２のデータ構造を示している。宛先端末のメールアドレスのうちドメイン名の部分が登録されており、個々のドメイン名に対応させて当該宛先端末のＩＰアドレス及び能力情報が登録されている。ドメイン名だけでなくアドレスの全部を登録しても良い。能力情報は、用紙サイズ、解像度、モノクロ／カラー、ＰＤＦサポートの有無、サポートしている符号化方式、中継機能の有無、許容サイズなどで構成されるが、情報の内容はこの組合せに限定されるのものではない。
【００３７】
ＳＭＴＰ通信部２３は、ＳＭＴＰ（簡易電子メールプロトコル）にしたがって電子メールの通信を行う部分である。電子メールを送信するときは、ＳＭＴＰ通信部２３が電子メールの送信に先立って宛先端末との間でＴＣＰコネクションを確立し、ＳＭＴＰを実行する中で宛先端末の能力情報を取得する。ＳＭＴＰ通信部２３が宛先端末とＳＭＴＰにしたがって直接通信する際に必要となる宛先端末のＩＰアドレスはＩＰアドレス取得部２１が取得して供給する。
【００３８】
ＤＮＳサーバ問い合せ部２４は、内部テーブル２２に所望のＩＰアドレスが登録されていないときにＩＰアドレス取得部２１から要請を受けてＤＮＳサーバに対してドメイン名によるＩＰアドレスの問い合わせを行う部分である。ＤＮＳサーバ問い合せ部２４には、ＤＮＳサーバのＩＰアドレスがデフォルトで記憶されていて、問い合せを発行するときに当該ＩＰアドレスを使用してＤＮＳサーバにアクセスする。ＩＰアドレスの問い合わせに対して問い合わせドメイン名に対応するＩＰアドレスをＤＮＳサーバから受信したら、ＩＰアドレス取得部２１へ通知する。これにより、内部テーブル２２に登録されていない宛先端末のＩＰアドレスもリアルタイムで取得することができる。
【００３９】
能力情報取得部２５は、ＳＭＴＰ通信部２３がＳＭＴＰを実行する中で宛先端末から受信した宛先端末の能力情報を内部テーブル２２に登録し、画像処理部２６に対して宛先端末の能力に合わせて画情報を加工するように指示する。なお、ＳＭＴＰ通信部２３が受信した最新の能力情報で常に内部テーブル２２の該当レコードを更新するようにしても良いし、双方の能力情報を比較して異なる部分のみを更新するようにしてもよい。また、内部テーブル２２に能力情報が登録されている場合には、受信した能力情報は一切使用しないように構成することもできる。この場合は、前回の通信時刻を保存しておき前回通信時から所定期間経過していれば能力情報を更新することが望ましい。
【００４０】
画像処理部２６は、画情報の解像度又は画像サイズを変換したり、カラー画像をモノクロ画像に変換するなどの画像処理機能を備えている。画像処理部２６に供給される画情報はスキャナ部２で取り込まれた画像、その他の部分から送信用に供給された画像である。画像処理部２６は、能力情報取得部２５から解像度変換やカラー／モノクロ変換などの指示が与えられる。
【００４１】
電子メール生成部２７は、操作パネル部４から入力されたメールアドレスをメールヘッダの宛先フィールドに設定し、メールヘッダの発信元フィールドに本インターネットファクシミリ装置のメールアドレスを設定する。さらに、画像処理部２６から供給される画情報をＭＩＭＥ形式にしたがってメール本文に添付する。ＭＩＭＥ形式の電子メールデータをＴＩＦＦ形式に変換してからＳＭＴＰ通信部２３へ供給してＳＭＴＰにしたがってメール送信する。
【００４２】
次に、以上のように構成された本実施の形態に係るインターネットファクシミリ装置の動作についてフローチャートを参照して説明する。図７に示すネットワーク構成において、第１インターネットファクシミリ装置７０から第２インタネットファクシミリ装置７１へメール送信するものとする。第１、第２インターネットファクシミリ装置７０、７１は、本インターネットファクシミリ装置と同一機能を有している。第１、第２インターネットファクシミリ装置７０、７１は、第１、第２ＬＡＮ７２、７３に接続されており、ルータ７４、７５からインターネット等のＷＡＮ７６に出てＷＡＮ経由の通信を行うものである。
【００４３】
次に、図４、図５のフローチャートを参照してＩＰアドレスの取得から電子メールを送信するまでの一連の動作について説明する。第１インターネットファクシミリ装置７０において、操作パネル部４から宛先端末（７１）のメールアドレスが入力されると（Ｓ１００）、ＩＰアドレス取得部２１が入力メールアドレスからドメイン名の部分を切り出し（Ｓ１０１）、内部テーブル２２からそのドメイン名に対応して登録されたＩＰアドレスを取出す処理を実行する（Ｓ１０２）。事前に、宛先端末（７１）のドメイン名、ＩＰアドレス及び能力情報が内部テーブル２２に登録されていれば、宛先端末（７１）のＩＰアドレスを取得できるが登録されていない場合にはＩＰアドレスの取得を失敗する。
【００４４】
ＩＰアドレスを内部テーブル２２から取得するのに成功した場合（Ｓ１０３）は、そのＩＰアドレスをＳＭＴＰ通信部２３に与えて、ＳＭＴＰ通信部２３にＳＭＴＰにしたがって宛先端末（７１）とメール送信のための通信を開始させる。具体的には、宛先端末のＩＰアドレスを宛先ＩＰアドレスとしてＩＰデータグラムのヘッダ・フィールドに設定し（Ｓ１０４）、ＳＭＴＰにしたがった手順を開始する（Ｓ１０５）。
【００４５】
図６に、ＳＭＴＰに基づくメールデータ送信前のシーケンスを示している。まず、取得した宛先端末（７１）のＩＰアドレスを用いて宛先端末（７１）との間でＴＣＰコネクションを確立する。受信側となる宛先端末（７１）で準備が完了すると応答「２２０」を返信してくる。
【００４６】
送信側となるインターネットファクシミリ装置７０は、応答「２２０」を受信したら、コマンド「ＥＨＬＯ」を宛先端末（７１）に対して送りＳＭＴＰの拡張機能（拡張ＳＭＴＰ）を使うことを通知する。
【００４７】
「ＥＨＬＯ」を受信した宛先端末（７１）は、その応答「２５０」を返信する。このとき、受信側の宛先端末（７１）がインターネットファクシミリ同士の特殊の手順をサポートしている場合は、その旨を示す文字列である「Ｘ−ＩＦＡＸ＊＊＊＊＊」を応答「２５０」に続くパラメータとして載せて返信してくる。
【００４８】
なお、受信側の宛先端末が拡張ＳＭＴＰをサポートしていないで「ＥＨＬＯ」に対応できないときはＥＨＬＯに対する応答「２５０」を返してこないので、受信側が拡張ＳＭＴＰをサポートしていないと認識できる。
【００４９】
受信側の宛先端末（７１）から応答「２５０」を受信した送信側のインターネットファクシミリ装置７０は、受信側の宛先端末（７１）がインターネットファクシミリ同士の特殊の手順をサポートしていると認識し、登録されている自分の能力情報を受信側の宛先端末（７１）へ送信する。
【００５０】
受信側の宛先端末（７１）は、応答「２５０」を返信した後に自分の能力情報を送信側のインターネットファクシミリ装置７０へ送信する。
【００５１】
以上にようにして、送信側となる第１インターネットファクシミリ装置７０と受信側となる第２インターネットファクシミリ装置７１との間で、拡張ＳＭＴＰにしたがって互いの能力情報が交換される。
【００５２】
なお、ＳＭＴＰで電子メールを送信することだけを想定すれば、送信側の能力情報は必ずしも受信側へ送信する必要はない。
【００５３】
上記ステップＳ１０５でＳＭＴＰによる通信を開始した後、受信側のインターネットファクシミリ装置７１が応答「２５０」でＩＦＡＸ同士の特殊の手順をサポートしている旨のパラメータを送信してきたら宛先端末が同種のＩＦＡＸであると認識し（Ｓ１０６）、上述した通り送信側の能力情報を送信すると共に（Ｓ１０７）、受信側のインターネットファクシミリ装置７１から受信側の能力情報を受信する（Ｓ１０８）。
【００５４】
能力情報取得部２５は、内部テーブル２２の所定アドレスに第２インターネットファクシミリ装置７１の能力情報を保存する（Ｓ１０９）。なお、第２インターネットファクシミリ装置７１の能力情報が前回の通信時に保存されている場合は、今回取得した能力情報を上書きする。
【００５５】
一方、能力情報取得部２５は、第１インターネットファクシミリ装置７０の能力情報と今回取得した第２インターネットファクシミリ装置７１の能力情報とを比較する（Ｓ１１０）。第２インターネットファクシミリ装置７１の能力が第１インターネットファクシミリ装置７０よりも相対的に低い場合には、第２インターネットファクシミリ装置７１の能力に合わせたデータ形式に変換する必要がある。例えば、第２インターネットファクシミリ装置７１の解像度が、第１インターネットファクシミリ装置７０の解像度よりも低いときは、第２インターネットファクシミリ装置７１の解像度に合わせるように解像度変換を行う必要がある。
【００５６】
そこで、ステップＳ１１０での比較結果に基づいて、送信側と受信側の能力の違いに起因したデータ形式の変換が必要であると判断した場合は、データ形式の変換を行う（Ｓ１１２）。ここで、データ形式とは、解像度、符号化方式、画像サイズまで含めた概念である。送信側の能力よりも受信側の能力が低い場合又は受信側がサポートしていない符号化方式の場合には、受信側の能力に合わせるように画情報のデータ形式（解像度、符号化方式、画像サイズ等）を変換してから、電子メール生成部２７でメールデータ形式に生成し、そのメールデータを送信する（Ｓ１１３）。
【００５７】
上記ステップＳ１０６で宛先端末７１が同種のインターネットファクシミリでないと判断した場合は、内部テーブル２２に当該宛先端末の能力情報が登録されているか否かチェックし（Ｓ１２０）、能力情報が登録されているときはステップＳ１１０へ移行する。また、能力情報が登録されていない時は勧告で規定されているいわゆるミニマムセットに合うようにデータ形式を変換する（Ｓ１２１）。
【００５８】
なお、本実施の形態では、インターネットファクシミリ同士の通信を考えているので、ミニマムセットに変換しているが、インターネットファクシミリ同士の通信でないのであればミニマムセットに変換しても受信側で処理できるとは限らないので、ミニマムセットに合わせる変換を行うことなく送信するようにしても良い。
【００５９】
また、上記ステップＳ１０３において宛先端末（７１）のＩＰアドレスの取得に失敗したと判断した場合は、ＤＮＳサーバ問い合せ部２４がデフォルトのＩＰアドレスを使ってＷＡＮ上のＤＮＳサーバにアクセスして宛先端末のＩＰアドレスを問い合せる（Ｓ１３０）。ＤＮＳサーバは、ドメイン名を告げることで当該ドメイン名を管理しているＤＮＳサーバ（他のサーバ又は自分で管理していれば当該サーバ）からそのドメイン名を持つマシンのＩＰアドレスを取得する。取得したドメイン名を持つマシンのＩＰアドレスは問い合わせ元である第１インターネットファクシミリ装置７０へ返信される。
【００６０】
ＤＮＳサーバからＩＰアドレスを取得するのに成功した時は（Ｓ１３１）、ステップＳ１０４へ移行して宛先ＩＰアドレスの設定を行う。
【００６１】
また、ＤＮＳサーバからＩＰアドレスを取得するのに失敗した時は（Ｓ１３１）、デフォルトで設定されたメールサーバのＩＰアドレスを宛先ＩＰアドレスとしてヘッダフィールドに設定し（Ｓ１３２）、上記ステップＳ１２０へ移行してミニマムセットに合わせてデータ形式を変換する。これは、宛先端末（７１）の能力情報が内部テーブル２２に登録されておらず、しかも拡張ＳＭＴＰで宛先端末（７１）と直接ネゴシエーションすることもできないことから、メールサーバに転送を依頼することになる。例えば、図７のネットワークにおいて、メールサーバ７７へ電子メールを送信することになる。この場合は、メールサーバ７７がＤＮＳサーバからメールサーバ７８のＩＰアドレスを取得し、そのＩＰアドレスを用いてメールサーバ７７からメールサーバ７８へ電子メールを転送する。受信側のインターネットファクシミリ装置７１は、例えばＰＯＰにしたがってメールサーバ７８から自分宛の電子メールを受信する。このときも、内部テーブル２２を参照して能力情報が登録されていればステップＳ１１０へ移行する。
【００６２】
受信側と能力交換できない場合でも上記ステップＳ１２０で能力情報が既に登録されているか否か判断することにより、受信側と能力情報を交換できない場合であってもユーザが手作業で能力情報を登録している場合には受信側の能力に合わせたデータ形式の変換が可能になる。又は、前回の能力交換で取得した能力情報が登録されていれば、受信側の能力に合わせたデータ形式の変換が可能になる。なお、内部テーブル２２に、宛先端末の能力情報をユーザが操作パネル部４を操作して手作業で入力できるように構成することが望ましい。
【００６３】
最後に、上記ステップＳ１３０でＤＮＳサーバから宛先端末のＩＰアドレスを取得したか否かチェックし（Ｓ１３３）、ＤＮＳサーバから宛先端末のＩＰアドレスを取得していた場合は、当該宛先端末のメールアドレスのドメイン名とＩＰアドレスと能力情報を取得した時は能力情報を内部テーブル２２に登録する（Ｓ１３４）。これにより、内部テーブル２２には宛先端末のドメイン名とＩＰアドレスと能力情報とを対応させたリストが自動的に構築される。
【００６４】
このように、本実施の形態によれば、宛先端末のＩＰアドレスを取得して直接宛先端末に対してメール送信するようにしたので、メールサーバが介在しないメール送信が可能となる。その結果、より効率的なメール送信が実現されると共にメールサーバを削減できる利点もある。
【００６５】
また、本実施の形態によれば、宛先端末のＩＰアドレスを取得したらＳＭＴＰにて宛先端末と通信して宛先端末の能力情報を取得するようにしたので、受信側が送信側の能力に対応した高い能力（ミニマムセットよりも高い能力）を有している場合に、データ形式をミニマムセットに落すことなく、高い能力のまま送信することができるといった利点がある。
【００６６】
また、本実施の形態によれば、ＳＭＴＰのシーケンスの中で宛先端末の能力情報の取得と宛先端末に対する電子メールの送信とを行うので、能力情報の取得とメール送信とを別々のジョブとして実行する場合に比べて処理の簡素化を図ることができる。
【００６７】
なお、以上の説明ではインターネットファクシミリ装置を例にして説明したが、本発明はインターネットファクシミリ装置に限定されるものではなく、公衆回線に常時接続でＳＭＴＰによる電子メールの送信及び受信を実施する通信装置であれば同様に適用できる。
【００６８】
【発明の効果】
以上詳記したように本発明によれば、メールサーバが介在しないメール送信を、送信側と受信側のユーザに意識させること無く行える。
【図面の簡単な説明】
【図１】本発明の一実施の形態に係るインターネットファクシミリ装置のハードウエア構成図
【図２】上記実施の形態に係るインターネットファクシミリ装置の機能ブロック図
【図３】上記実施の形態に係るインターネットファクシミリ装置に備えた内部テーブルを示す図
【図４】上記実施の形態に係るインターネットファクシミリ装置の動作を示す前半部分のフロー図
【図５】上記実施の形態に係るインターネットファクシミリ装置の動作を示す後半部分のフロー図
【図６】上記実施の形態に係るインターネットファクシミリ装置におけるＳＭＴＰのシーケンス図
【図７】上記実施の形態におけるネットワーク構成図
【符号の説明】
１  ＣＰＵ
２  スキャナ部
３  プリンタ部
４  操作パネル部
５  ＲＡＭ
６  ＲＯＭ
７  モデム部
８  ＬＡＮインターフェース
２１  ＩＰアドレス取得部
２２  内部テーブル
２３  ＳＭＴＰ通信部
２４  ＤＮＳサーバ問い合せ部
２５  能力情報取得部
２６  画像処理部
２７  電子メール生成部
【図１】
0004319791.tif 000002
【図２】
0004319791.tif 000003
【図３】
0004319791.tif 000004
【図４】
0004319791.tif 000005
【図５】
0004319791.tif 000006
【図６】
0004319791.tif 000007
【図７】
0004319791.tif 000008